(57)【要約】【課題】  用紙全面に印刷後の複製を禁止するコード画像、印刷ページの識別情報、印刷する文書の識別情報をコード画像として用紙全体に高速に埋め込む。【解決手段】  クライアント端末１００は、印刷後の複写、スキャンを禁止する文書の印刷処理を行う際、文書ＤＢ２１０にて文書２１１を識別する文書ＩＤと、複合機４００にて複写、スキャン処理を禁止する情報を所定のドットパターンの画像を所定配列にて背景にコード化して埋め込んだ文書共通合成コード画像８１０、各印刷ページに描画される文書のページを特定するページＩＤ、複製禁止コードをコード化して埋め込んだページ単位合成コード画像８２０を印刷ページの文書画像に合成した符号化情報埋め込み文書８００の印刷制御を複合機４００に対して行う。【選択図】  図１
2008182552.tif 000002
【特許請求の範囲】
【請求項１】
文書の各頁に共通に埋め込む第１の情報を取得する第１の取得手段と、
文書の各頁にそれぞれ埋め込む各頁毎に異なる複数の第２の情報を取得する第２の取得手段と、
前記第１の取得手段で取得した前記第１の情報に基づき用紙の一部の領域を除く全面に該第１の画像を埋め込むための第１の画像を作成する第１の画像作成手段と、
前記第２の取得手段で取得した前記第２の情報に基づき前記用紙の一部の領域に該第２の画像を埋め込むための第２の画像を作成する第２の画像作成手段と、
前記文書の各頁の画像に前記第１の画像作成手段で作成した第１の画像および前記第２の画像作成手段で作成した第２の画像を合成する画像合成手段と、
前記画像合成手段で合成した合成画像を出力する画像出力手段と
を具備する画像処理装置。
【請求項２】
前記第１の情報は、
前記文書を識別する文書識別情報および該文書の複製を禁止する複製禁止情報を含み、
前記第１の画像作成手段は、
前記文書識別情報および前記複製禁止情報に基づき該文書に対応する１つの第１の画像を作成し、
前記第２の情報は、
前記文書の各頁を識別する複数の頁識別情報および前記複製禁止情報
を含み、
前記第２の画像作成手段は、
前記頁識別情報および前記複製禁止情報に基づき前記文書の各頁に対応する複数の第２の画像を作成し、
前記画像合成手段は、
前記文書の各頁の画像に前記第１の画像および該頁に対応する前記第２の画像を合成する請求項１記載の画像処理装置。
【請求項３】
前記一部の領域は、
前記用紙の四隅の領域である請求項１記載の画像処理装置。
【請求項４】
前記一部の領域は、
前記用紙の上下両端の領域である請求項１記載の画像処理装置。
【請求項５】
文書の印刷指示を行う印刷指示端末と、
前記印刷指示端末からの印刷指示に基づき前記文書の画像を用紙に印刷する印刷装置と
を具備し、
前記印刷指示端末は、
前記文書の各頁に共通に埋め込む第１の情報を取得する第１の取得手段と、
前記文書の各頁にそれぞれ埋め込む各頁毎に異なる複数の第２の情報を取得する第２の取得手段と、
前記第１の取得手段で取得した前記第１の情報に基づき前記用紙の一部の領域を除く全面に該第１の画像を埋め込むための第１の画像を作成する第１の画像作成手段と、
前記第２の取得手段で取得した前記第２の情報に基づき前記用紙の一部の領域に該第２の画像を埋め込むための第２の画像を作成する第２の画像作成手段と、
前記文書に対応する印刷情報を前記印刷装置に送信する第１の送信手段と、
前記第１の画像作成手段で作成した前記第１の画像を前記印刷装置に送信する第２の送信手段と、
前記第２の画像作成手段で作成した前記第２の画像を前記印刷装置に送信する第３の送信手段と
を具備し、
前記印刷装置は、
前記第１の送信手段により送信された印刷情報に基づき前記文書の各頁に対応する画像を展開する展開手段と、
前記展開手段により展開された前記文書の各頁に対応する画像に前記第２の送信手段で送信された第１の画像および前記第３の送信手段で送信された第２の画像を合成する画像合成手段と、
前記画像合成手段で合成した合成画像を印刷する印刷手段と
を具備する画像処理システム。
【請求項６】
文書の印刷指示を行う印刷指示端末と、
前記印刷指示端末からの印刷指示に基づき前記文書の画像を用紙に印刷する印刷装置と
を具備し、
前記印刷指示端末は、
前記文書に対応する印刷情報を前記印刷装置に送信して印刷指示を行う印刷指示手段
を具備し、
前記印刷装置は、
前記印刷指示手段で指示された文書の各頁に共通に埋め込む第１の情報を取得する第１の取得手段と、
前記文書の各頁にそれぞれ埋め込む各頁毎に異なる複数の第２の情報を取得する第２の取得手段と、
前記第１の取得手段で取得した前記第１の情報に基づき用紙の一部の領域を除く全面に該第１の画像を埋め込むための第１の画像を作成する第１の画像作成手段と、
前記第２の取得手段で取得した前記第２の情報に基づき前記用紙の一部の領域に該第２の画像を埋め込むための第２の画像を作成する第２の画像作成手段と、
前記文書の各頁の画像に前記第１の画像作成手段で作成した第１の画像および前記第２の画像作成手段で作成した第２の画像を合成する画像合成手段と、
前記画像合成手段で合成した合成画像を印刷する印刷手段と
を具備する画像処理システム。
【請求項７】
コンピュータを、
文書の各頁に共通に埋め込む第１の情報を取得する第１の取得手段、
文書の各頁にそれぞれ埋め込む各頁毎に異なる複数の第２の情報を取得する第２の取得手段、
前記第１の取得手段で取得した前記第１の情報に基づき用紙の一部の領域を除く全面に該第１の画像を埋め込むための第１の画像を作成する第１の画像作成手段、
前記第２の取得手段で取得した前記第２の情報に基づき前記用紙の一部の領域に該第２の画像を埋め込むための第２の画像を作成する第２の画像作成手段、
前記文書の各頁の画像に前記第１の画像作成手段で作成した第１の画像および前記第２の画像作成手段で作成した第２の画像を合成する画像合成手段、
前記画像合成手段で合成した合成画像を出力する画像出力手段
として機能させる画像処理プログラム。
【発明の詳細な説明】
【技術分野】
【０００１】
本発明は画像処理装置、画像処理システムおよび画像処理プログラムに関する。
【背景技術】
【０００２】
出力ドキュメントの背景全面に繰り返して、禁複写コード等を埋め込む方法として、特許文献１に記載された「画像読み取り装置および複写装置」が考案されている。
【０００３】
この特許文献１の発明は、画像読み取り装置において、機密原稿を読み取る際に、無断複製を防止することを課題とし、複製操作を禁止あるいは禁止を解除するための制御情報をあらわすことが可能なようにパターン画像が配列された画像を読み取り対象の画像とする。パターン画像には、複製禁止コードや、複製禁止の解除条件コードを割り当てる。複写機の「通常モード」では、複製禁止情報検出部により読取画像中から複製禁止コードを検出し、制御部は、複製禁止コードが検出された場合にはコピー動作を中止する。条件情報検出部により、読取画像中から条件コードを検出する。条件が一致した場合にはコピー動作を許可するコピーモードを設け、制御部は、特定ユーザや所定日時を過ぎた場合などの条件に合致する場合には、コピーを許可する。
【０００４】
また、紙文書から紙文書の元文書を示す文書識別情報を文書の画像を読み取って抽出する技術として、特許文献２に記載された「セキュリティサーバ、文書セキュリティ管理システムおよび文書セキュリティ管理方法」が考案されている。
【０００５】
この特許文献２の発明は、文書の印刷、複写などが繰り返される状況でも、文書のセキュリティ状態を追跡維持することのできる文書セキュリティシステムを提供することを課題とし、文書セキュリティシステムは、画像形成装置と、この画像形成装置にネットワークを介して接続されるセキュリティサーバを含む。セキュリティサーバは、画像形成装置で電子文書が生成される際に、電子文書のプロファイルを生成して記録する第１のプロファイル管理テーブルと、画像形成装置で印刷文書が生成されるときに、印刷文書のプロファイルを、当該印刷文書の派生元の文書のＩＤと関連付けて生成し、記録する第２のプロファイル管理テーブルとを備える。画像形成装置は、前記印刷文書を出力する時に、この印刷文書に新たなプリントＩＤを埋め込んで印刷する。
【特許文献１】特開２００３−２８０４６９号公報。
【特許文献２】特開２００５−２５９１０８号公報。
【発明の開示】
【発明が解決しようとする課題】
【０００６】
ところで、文書に固有の文書識別情報を付して管理する場合、該文書の印刷時に文書に合成する画像は、固有の文書識別情報を元にした１種類のコード画像で良いため、画像生成にさほど時間はかからないが、文書に固有のページ識別情報を付してページ単位でも管理する場合、該文書の印刷時に文書に合成する画像は、文書識別情報とページ識別情報を元にしたコード画像となり、画像の生成に時間がかかる。複数ページからなる文書には、ページによってセキュリティレベルが異なる（例えば、報告書の概要が記載されたページはセキュリティレベルが低く、詳細内容は高い等）ものが存在するため、このような文書に固有のページ識別情報を付してページ単位で管理し、該文書の印刷に際してページ識別情報を元にしたコード画像を合成する場合の画像生成の時間の短縮化が望まれる。
【０００７】
本発明は、印刷後の複製を禁止するコード画像、印刷ページの識別情報、印刷ページに属する印刷ページの画像、印刷する文書の識別情報をコード画像として用紙全体に高速に埋め込むことができる画像処理装置、画像処理システムおよび画像処理プログラムを提供することを目的とする。
【課題を解決するための手段】
【０００８】
上記課題を解決するために、請求項１の発明の画像処理装置は、文書の各頁に共通に埋め込む第１の情報を取得する第１の取得手段と、文書の各頁にそれぞれ埋め込む各頁毎に異なる複数の第２の情報を取得する第２の取得手段と、前記第１の取得手段で取得した前記第１の情報に基づき用紙の一部の領域を除く全面に該第１の画像を埋め込むための第１の画像を作成する第１の画像作成手段と、前記第２の取得手段で取得した前記第２の情報に基づき前記用紙の一部の領域に該第２の画像を埋め込むための第２の画像を作成する第２の画像作成手段と、前記文書の各頁の画像に前記第１の画像作成手段で作成した第１の画像および前記第２の画像作成手段で作成した第２の画像を合成する画像合成手段と、前記画像合成手段で合成した合成画像を出力する画像出力手段とを具備する。
【０００９】
また、請求項２の発明は、請求項１の発明の画像処理装置において、前記第１の情報は、前記文書を識別する文書識別情報および該文書の複製を禁止する複製禁止情報を含み、前記第１の画像作成手段は、前記文書識別情報および前記複製禁止情報に基づき該文書に対応する１つの第１の画像を作成し、前記第２の情報は、前記文書の各頁を識別する複数の頁識別情報および前記複製禁止情報を含み、前記第２の画像作成手段は、前記頁識別情報および前記複製禁止情報に基づき前記文書の各頁に対応する複数の第２の画像を作成し、前記画像合成手段は、前記文書の各頁の画像に前記第１の画像および該頁に対応する前記第２の画像を合成する。
【００１０】
また、請求項３の発明は、請求項１の発明の画像処理装置において、前記一部の領域は、前記用紙の四隅の領域である。
【００１１】
また、請求項４の発明は、請求項１の発明の画像処理装置において、前記一部の領域は、前記用紙の上下両端の領域である。
【００１２】
また、請求項５の発明の画像処理システムは、文書の印刷指示を行う印刷指示端末と、前記印刷指示端末からの印刷指示に基づき前記文書の画像を用紙に印刷する印刷装置とを具備し、前記印刷指示端末は、前記文書の各頁に共通に埋め込む第１の情報を取得する第１の取得手段と、前記文書の各頁にそれぞれ埋め込む各頁毎に異なる複数の第２の情報を取得する第２の取得手段と、前記第１の取得手段で取得した前記第１の情報に基づき前記用紙の一部の領域を除く全面に該第１の画像を埋め込むための第１の画像を作成する第１の画像作成手段と、前記第２の取得手段で取得した前記第２の情報に基づき前記用紙の一部の領域に該第２の画像を埋め込むための第２の画像を作成する第２の画像作成手段と、前記文書に対応する印刷情報を前記印刷装置に送信する第１の送信手段と、前記第１の画像作成手段で作成した前記第１の画像を前記印刷装置に送信する第２の送信手段と、前記第２の画像作成手段で作成した前記第２の画像を前記印刷装置に送信する第３の送信手段とを具備し、前記印刷装置は、前記第１の送信手段により送信された印刷情報に基づき前記文書の各頁に対応する画像を展開する展開手段と、前記展開手段により展開された前記文書の各頁に対応する画像に前記第２の送信手段で送信された第１の画像および前記第３の送信手段で送信された第２の画像を合成する画像合成手段と、前記画像合成手段で合成した合成画像を印刷する印刷手段とを具備する。
【００１３】
また、請求項６の発明の画像処理システムは、文書の印刷指示を行う印刷指示端末と、前記印刷指示端末からの印刷指示に基づき前記文書の画像を用紙に印刷する印刷装置とを具備し、前記印刷指示端末は、前記文書に対応する印刷情報を前記印刷装置に送信して印刷指示を行う印刷指示手段を具備し、前記印刷装置は、前記印刷指示手段で指示された文書の各頁に共通に埋め込む第１の情報を取得する第１の取得手段と、前記文書の各頁にそれぞれ埋め込む各頁毎に異なる複数の第２の情報を取得する第２の取得手段と、前記第１の取得手段で取得した前記第１の情報に基づき用紙の一部の領域を除く全面に該第１の画像を埋め込むための第１の画像を作成する第１の画像作成手段と、前記第２の取得手段で取得した前記第２の情報に基づき前記用紙の一部の領域に該第２の画像を埋め込むための第２の画像を作成する第２の画像作成手段と、前記文書の各頁の画像に前記第１の画像作成手段で作成した第１の画像および前記第２の画像作成手段で作成した第２の画像を合成する画像合成手段と、前記画像合成手段で合成した合成画像を印刷する印刷手段とを具備する。
【００１４】
また、請求項７の発明の画像処理プログラムは、コンピュータを、文書の各頁に共通に埋め込む第１の情報を取得する第１の取得手段、文書の各頁にそれぞれ埋め込む各頁毎に異なる複数の第２の情報を取得する第２の取得手段、前記第１の取得手段で取得した前記第１の情報に基づき用紙の一部の領域を除く全面に該第１の画像を埋め込むための第１の画像を作成する第１の画像作成手段、前記第２の取得手段で取得した前記第２の情報に基づき前記用紙の一部の領域に該第２の画像を埋め込むための第２の画像を作成する第２の画像作成手段と、前記文書の各頁の画像に前記第１の画像作成手段で作成した第１の画像および前記第２の画像作成手段で作成した第２の画像を合成する画像合成手段、前記画像合成手段で合成した合成画像を出力する画像出力手段として機能させる。
【発明の効果】
【００１５】
請求項１の発明によれば、印刷ページが複数有る場合において、前記各ページ毎に埋め込む画像データを生成する処理負荷を軽減することができる。
【００１６】
また、請求項２の発明によれば、印刷ページ単位にて複製を禁止することができ、印刷ページが複数有る場合において、前記各ページ毎に埋め込む画像データを生成する処理負荷を軽減することができる。
【００１７】
また、請求項３の発明によれば、印刷ページが複数有る場合において、前記各ページ毎に埋め込む画像データを生成する処理負荷を軽減することができる。
【００１８】
また、請求項４の発明によれば、印刷ページが複数有る場合において、前記各ページ毎に埋め込む画像データを生成する処理負荷を軽減することができる。
【００１９】
また、請求項５の発明によれば、印刷指示装置と印刷装置との間におけるデータ転送量を減らすとともに、印刷ページの増加に対する処理負荷を軽減することができる。
【００２０】
また、請求項６の発明によれば、印刷指示装置と印刷装置との間におけるデータ転送量を減らすとともに、印刷処理の処理負荷を軽減することができ、印刷ページの増加に対する処理負荷を軽減することができる。
【００２１】
また、請求項７の発明によれば、印刷ページが複数有る場合において、前記各ページ毎に埋め込む画像データを生成する処理負荷を軽減することができる。
【発明を実施するための最良の形態】
【００２２】
本発明の実施例について、添付図面を参照しながら説明する。
【００２３】
図１は、本発明の画像処理システムの構成の一例を示すブロック図である。
【００２４】
図１において、画像処理システム１０は、文書管理装置２００の文書ＤＢ２１０にて管理される文書２１１のうち、認証サーバ７００のユーザ管理情報７１０に登録して管理されるユーザ（あるいは、ユーザが属するユーザグループ）毎の機密文書２１２の各ページに対するセキュリティレベルを機密文書管理情報９２１に登録して管理し、機密文書２１２の各ページに対する処理の実施可否、処理条件を、機密文書２１２のページに対するユーザのセキュリティレベルと処理種別毎に設定して記録したセキュリティポリシー９２２に基づいて判断するポリシーサーバ９００と、文書２１１の印刷、印刷された紙文書のスキャン、複写、ファクシミリ送信を行う複合機４００と、文書ＤＢ２１０にて管理される文書２１１の表示、編集、あるいは文書ＤＢ２１０に対する文書２１１の登録処理、文書ＤＢ２１０に登録して管理される文書２１１の印刷処理を複合機４００に対して行うクライアント端末１００とがネットワーク７を介してそれぞれ接続して構成される。
【００２５】
クライアント端末１００は、複合機４００に対する文書２１１の印刷処理において、特に、印刷する文書２１１が機密文書管理情報９２１に登録された機密文書２１２であって、印刷される機密文書２１２の印刷ページに対するユーザの複製処理（複写、スキャン）がセキュリティポリシー９２２の設定にて禁止されている場合、印刷ページに描画する機密文書２１２のページ画像に、機密文書２１２を識別する文書ＩＤと、印刷した機密文書２１２の複合機４００による複製処理を禁止する場合の複製禁止コードを所定のドットパターンの画像を所定配列にて背景に描画することによりコード化して埋め込んだ文書共通合成コード画像（図１の８１０）と、各印刷ページに関する固有の情報として、印刷する機密文書２１２のページＩＤ、複合機４００にて複写、スキャン処理を禁止する場合の複製禁止を示す情報を、所定のドットパターンの画像を所定配列にて背景に描画することによりコード化して埋め込んだページ単位合成コード画像（図１の８２０）をそれぞれ合成して印刷した符号化情報埋め込み文書８００の印刷制御を複合機４００に対して行う。
【００２６】
複合機４００は、符号化情報埋め込み文書８００の複写、スキャン操作に対し、複製操作を行うユーザに対する認証処理を認証サーバ７００との間にて行い、認証処理によってユーザが認証された場合は、複製する文書の読取画像データの解析にて、符号化情報埋め込み文書８００の文書共通合成コード画像８１０およびページ単位合成コード画像８２０に埋め込まれた符号化情報の復号処理を行い、ページ単位合成コード画像８２０から解読したページＩＤ、文書共通合成コード画像８１０から解読した文書ＩＤ、処理種別（複写、スキャン）、認証サーバ７００にて認証されたユーザのユーザユーザＩＤそれぞれを記録したデータを作成し、作成したデータをネットワーク７を介して接続されたポリシーサーバ９００に送信して複製処理の可否を問い合わせ、ポリシーサーバ９００にて複製処理が許可された場合は、符号化情報埋め込み文書８００に対する複製処理を実施する。
【００２７】
また、複合機４００は、複製禁止コードを文書共通合成コード画像８１０あるいはページ単位合成コード画像８２０から解読して検知した場合は、ポリシーサーバ９００に対して処理の実施可否を問い合わせることなく原則処理を中止し、動作モードの設定により、更に文書ＩＤも検知した場合は、複製操作を行うユーザのユーザＩＤ、文書ＩＤ、ページＩＤ、処理種別をポリシーサーバ９００に送信して、処理の実施可否を確認し、実施可能である場合は、該処理を実施する。なお、符号化情報が埋め込まれていない文書を処理する場合は、各種処理を実施可能と判断して処理する。
【００２８】
図２は、符号化情報埋め込み文書８００の印刷イメージを示す図である。
【００２９】
図２において、符号化情報埋め込み文書８００は、０あるいは１の値を所定のドットパターンにて示すパターン画像（図２の８３０）が、所定ブロックサイズの二次元配列にて配置されることによって、複製禁止を示して、文書の複写、スキャン処理を禁止する複製禁止コード画像８１１、文書ＩＤを示した文書ＩＤコード画像８１２、ページＩＤを示したページＩＤコード画像８２２、複製禁止コード画像８２１が、所定の領域にタイル状に描画される。
【００３０】
文書ＩＤコード画像８１２が埋め込まれた文書共通合成コード画像８１０は、複数の印刷ページがある場合に、各印刷ページに共通して描画される画像であって、一方のページＩＤコード画像８２２が埋め込まれたページ単位合成コード画像８２０は、文書共通合成コード画像８１０の描画面積に対して占有面積が狭くなるサイズにて生成され、例えば、図２に示すような印刷用紙の四隅を含む領域に描画される。
【００３１】
また、ページ単位合成コード画像８２０、文書共通合成コード画像８１０のレイアウトは、文書共通合成コード画像８１０の占有面積よりも小さい面積であれば、ページ単位合成コード画像８２０の描画領域は、図２に示した領域に制限されることなく、例えば、図７に示すように、印刷する用紙の上端部、下端部を含む領域にページ単位合成コード画像８２０を描画し、それ以外の領域全体に文書共通合成コード画像８１０を印刷するようにしてもよい。
【００３２】
図２に示す符号化情報埋め込み文書８００の印刷画像の生成手順は、図３のフローチャートに示すように、印刷指示が行われた文書の文書データ、文書ＩＤ、印刷ページ毎のページＩＤ、ユーザもしくはユーザの属するグループを識別するユーザＩＤを取得し（Ｓ１０１）、印刷する文書が複製禁止の文書である場合、複製禁止コードを符号化情報に追加し、全ての印刷ページの背景に描画する文書共通合成コード画像８１０を生成する（Ｓ１０２）。
【００３３】
印刷設定に基づいて、印刷ページ毎に描画する文書のページ画像を特定して、印刷ページの文書画像を生成する（Ｓ１０３）。
【００３４】
次に、印刷ページに属する文書のページ番号、および、印刷した符号化情報埋め込み文書８００に付与して紙文書を識別する情報を符号化情報として埋め込むためのページＩＤを生成し、生成したページＩＤと複製禁止コードを符号化情報として埋め込んだページ単位合成コード画像８２０を生成する（Ｓ１０４）。
【００３５】
ステップＳ１０２にて生成した文書共通合成コード画像８１０と、ステップＳ１０４にて生成したページ単位合成コード画像８２０とを用紙の所定領域に背景として描画して、ステップＳ１０３にて生成した印刷ページの文書画像に重畳させた合成画像を生成し（Ｓ１０５）、合成した最終的な印刷ページの画像を用紙に形成するための印刷処理を、印刷設定にて指定された印刷部数分および全ての印刷ページ分の処理が完了するまでの間（Ｓ１０６ＮＯ）、繰り返して行う。
【００３６】
次に、図１に示した複合機４００、クライアント端末１００、ポリシーサーバ９００の構成例を図４のブロック図に示して説明する。
【００３７】
クライアント端末１００は、プログラムをＣＰＵ（Ｃｅｎｔｒａｌ Ｐｒｏｃｅｓｓｉｎｇ Ｕｎｉｔ）が実行することによりクライアント端末１００全体を制御するクライアント端末制御部１１０に、ＲＡＭ（Ｒａｎｄｏｍ Ａｃｃｅｓｓ Ｍｅｍｏｒｙ）や、ＲＯＭ（Ｒｅａｄ Ｏｎｌｙ Ｍｅｍｏｒｙ）等のメモリ素子、並びにハードディスク等によって実現され、ＣＰＵ（Ｃｅｎｔｒａｌ Ｐｒｏｃｅｓｓｉｎｇ Ｕｎｉｔ）によって実行されるプログラムが保持され、各プログラム処理の過程で利用される種々のデータを保持するワークメモリとして動作するクライアント端末記憶部１２０、ＬＡＮ（Ｌｏｃａｌ  Ａｒｅａ  Ｎｅｔｗｏｒｋ）接続ボード等の回線終端装置を有するクライアント端末通信部１５０、入力操作部１３０、表示部１４０がそれぞれ接続して構成される。
【００３８】
クライアント端末制御部１１０は、文書ＤＢ２１０に登録された文書２１１の表示、編集、文書ＤＢ２１０に対する文書２１１の登録を行う文書処理部１１１、複合機４００に対して文書の印刷制御を行い、符号化情報埋め込み文書８００の印刷制御を複合機４００に対して行う印刷制御部１１２を有する。
【００３９】
また、文書処理部１１１は、表示部１４０に表示した文書処理画面に対する入力操作部１３０による文書に対する各種処理の操作を検知すると、ユーザの認証画面を表示部１４０に出力し、入力されたユーザＩＤ、パスワードに基づいて認証用データを作成し、作成した認証用データを、クライアント端末通信部１５０を介してデータ通信可能な認証サーバ７００に送信してユーザ認証処理を行う。認証サーバ７００にてユーザが認証された場合は、ユーザの識別情報としてユーザＩＤを取得する。
【００４０】
文書処理部１１１は、印刷が指示された文書の文書ＩＤ、印刷文書のページＩＤ、処理種別（印刷処理）、印刷操作を行うユーザのユーザＩＤを含む問合せデータを作成し、作成した問合せデータをクライアント端末通信部１５０を介してポリシーサーバ９００に送信し、印刷処理の実施の可否および印刷可能な場合の符号化情報埋め込み印刷の要否、複製禁止の情報をコード画像として埋め込むか否かの印刷条件をポリシーサーバ９００に問い合わせる。
【００４１】
文書処理部１１１は、ポリシーサーバ９００からの応答データを解析し、印刷処理の可否を判断し、印刷が許可された場合は、印刷条件を読み取り、符号化情報埋め込み文書８００としての印刷処理が必要であるかを判断する。
【００４２】
さらに、符号化情報埋め込み文書８００の印刷を行う場合、文書処理部１１１は、印刷文書に埋め込むための文書ＩＤ、印刷する文書のページＩＤ、さらに、印刷後の複製が禁止されている場合は、複製禁止コードを符号化情報として作成し、作成した符号化情報、印刷する文書の文書データとともに印刷制御１１２に出力して印刷処理を指示する。
【００４３】
印刷制御部１１２は、文書処理部１１１からの指示に基づいて、印刷操作画面を表示部１４０に出力し、ユーザが指定した印刷設定と、文書処理部１１１から受け取った文書データ、符号化情報（文書ＩＤ、ページＩＤ、複製禁止コード）に基づいて、複合機４００にて符号化情報埋め込み文書８００を印刷するための印刷制御を行う。
【００４４】
印刷制御部１１２は、文書処理部１１１から符号化情報を文書データとともに受け取った場合、符号化情報に記録された文書ＩＤ、さらに、複製禁止コードが記録されている場合は、複製禁止コードを埋め込んだ文書共通合成コード画像８１０、印刷ページに属する文書のページＩＤ、さらに、複製禁止コードが符号化情報に記録されている場合は、複製禁止コードを埋め込んだページ単位合成コード画像８２０を有する符号化情報埋め込み文書８００の印刷制御を複合機４００に対して行う。
【００４５】
なお、印刷制御部１１２による印刷制御の詳細な構成の説明は、後述する。
【００４６】
複合機４００は、プログラムをＣＰＵ（Ｃｅｎｔｒａｌ Ｐｒｏｃｅｓｓｉｎｇ Ｕｎｉｔ）が実行することにより複合機４００全体を制御する複合機主制御部４１０に、画像読取部４２０、画像処理部４４０、画像形成部４３０、ＬＡＮ（Ｌｏｃａｌ  Ａｒｅａ  Ｎｅｔｗｏｒｋ）接続ボード等の回線終端装置にて実現される複合機通信部４６０、ＲＡＭ（Ｒａｎｄｏｍ Ａｃｃｅｓｓ Ｍｅｍｏｒｙ）や、ＲＯＭ（Ｒｅａｄ Ｏｎｌｙ Ｍｅｍｏｒｙ）等のメモリ素子、並びにハードディスク等によって実現され、ＣＰＵ（Ｃｅｎｔｒａｌ Ｐｒｏｃｅｓｓｉｎｇ Ｕｎｉｔ）によって実行されるプログラムが保持され、各プログラム処理の過程で利用される種々のデータを保持するワークメモリとして動作する複合機主記憶部４５０が接続された構成を有する。
【００４７】
複合機主制御部４１０は、コード画像印刷処理部４１１、コード画像復号処理部４１６、処理実施可否判定部４１７を有する。
【００４８】
コード画像印刷処理部４１１は、複合機通信部４６０を介してクライアント端末１００の印刷制御部１１２から受信した印刷データおよびページ単位合成コード画像８２０、文書共通合成コード画像８１０の画像データに基づいて符号化情報埋め込み文書８００の印刷ページ毎のページイメージを作成し、作成した印刷ページ毎のページイメージを画像形成部４３０に出力することにより、印刷ページ毎の文書画像を用紙に印刷するための印刷制御を行う。
【００４９】
コード画像復号処理部４１６は、印刷された符号化情報埋め込み文書８００に対する文書の複製処理を行った場合において、画像読取部４２０にて読み取られた読取画像データ４５１に対して、文書共通合成コード画像８１０、ページ単位合成コード画像８２０に埋め込まれた符号化情報の復号処理を行う。
【００５０】
また、コード画像復号処理部４１６によるコード画像の復号処理は、特開２００３−２８０４６９号公報にて開示されているパターン画像の検出およびパターン画像の二次元配列にて構成される画像のマッチング処理に基づいてコード配列を生成し、生成した０もしくは１の二次元コード配列から符号化情報として埋め込まれたページＩＤ、文書ＩＤ、複製禁止コードの復号処理を行う。
【００５１】
処理実施可否判定部４１７は、操作表示部４７０おけるユーザの紙文書の複製開始操作を検出し、複製操作を行うユーザ認証画面を操作表示部４７０に出力し、入力されたユーザＩＤ、パスワードに基づく認証用データを、複合機通信部４６０を介してデータ通信可能な認証サーバ７００に送信してユーザ認証処理を行い、認証サーバ７００にて認証されたユーザのユーザＩＤを取得する。
【００５２】
処理実施可否判定部４１７は、複製操作を行うユーザがユーザ認証処理によって認証されると、複製を行う紙文書の画像を画像読取部４２０にて読み取るための画像読み取り制御を行い、読み取った画像データを読取画像データ４５１として複合機記憶部４５０に一時保存し、動作モードの設定によりコード画像の検出処理によって復号される符号化情報４５２の抽出処理をコード画像復号処理部４１６に指示する。
【００５３】
さらに、処理実施可否判定部４１７は、復号された符号化情報４５２に複製禁止コードのみが埋め込まれている場合、ポリシーサーバ９００に対して処理の可否を問い合わせることなく文書の複製処理を中止し、一方、符号化情報４５２として複製禁止コード以外に文書ＩＤが埋め込まれている場合、あるいは、単に文書ＩＤのみが符号化情報４５２に埋め込まれている場合、符号化情報４５２と、複製処理の種別（スキャン、複写）、複製操作を行うユーザもしくはユーザの属するグループを識別するユーザＩＤをポリシーサーバ９００に通知して、複製処理の実施可否を問い合わせ、ポリシーサーバ９００にて処理が許可された場合のみ文書の複製処理を行い、スキャン操作による画像読み取り処理の場合は、読み取り画像を所定の転送先に読取画像データ４５１を送信して格納し、複写処理の場合は読取画像データ４５１から複写画像を生成し、生成した複写画像の印刷データを画像形成部４３０に出力して複写画像を用紙に印刷する。
【００５４】
画像処理部４４０は、ユーザが指定した読み取り条件に基づいて画像読取部４２０にて読み取られた紙文書の読み取り画像データ４５１に対する色変換、解像度変換、正立補正等の画像処理を行う。
【００５５】
コード画像印刷処理部４１１、画像形成部４３０による印刷処理に関する機能構成および機能ブロック間における処理の説明は後述する。
【００５６】
ポリシーサーバ９００は、プログラムをＣＰＵ（Ｃｅｎｔｒａｌ Ｐｒｏｃｅｓｓｉｎｇ Ｕｎｉｔ）が実行することによりポリシーサーバ９００全体を制御するポリシーサーバ制御部９１０に、ＲＡＭ（Ｒａｎｄｏｍ Ａｃｃｅｓｓ Ｍｅｍｏｒｙ）や、ＲＯＭ（Ｒｅａｄ Ｏｎｌｙ Ｍｅｍｏｒｙ）等のメモリ素子、並びにハードディスク等によって実現され、セキュリティポリシー（処理条件）に関する情報、文書のセキュリティレベルに関する情報を記憶したポリシーサーバ記憶部９２０と、ＬＡＮ（Ｌｏｃａｌ  Ａｒｅａ  Ｎｅｔｗｏｒｋ）接続ボード等の回線終端装置にて実現され、ネットワーク７を介して接続されたクライアント端末１００、複合機４００、文書管理装置２００との間にてデータ通信制御を行うポリシーサーバ通信部９３０とがバスを介して接続した構成を有する。
【００５７】
ポリシーサーバ記憶部９２０は、ＲＡＭ（Ｒａｎｄｏｍ Ａｃｃｅｓｓ Ｍｅｍｏｒｙ）や、ＲＯＭ（Ｒｅａｄ Ｏｎｌｙ Ｍｅｍｏｒｙ）等のメモリ素子、並びにハードディスク等によって実現され、ＣＰＵ（Ｃｅｎｔｒａｌ Ｐｒｏｃｅｓｓｉｎｇ Ｕｎｉｔ）によって実行されるプログラムが保持され、各プログラム処理の過程で利用される種々のデータを保持するワークメモリとして動作し、機密文書管理情報９２１、文書管理ポリシー９２２を記憶する。
【００５８】
機密文書管理情報９２１は、文書ＤＢ２１０に登録された文書２１１において、機密文書２１２として管理する文書の文書ＩＤ、文書のページＩＤ、機密文書２１２に対する処理を行うユーザのユーザＩＤとの組み合わせにて設定される文書の各ページ毎の処理に対するユーザのセキュリティレベルの値が記録された表形式のデータであり、ポリシー管理部９１１にて管理される。
【００５９】
文書管理ポリシー９２２は、処理対象文書のページレベルでの文書処理に対するユーザ別のセキュリティレベルと、文書に対する処理種別との組み合わせ毎に、処理の禁止、許可の別、処理を許可する場合は、必要により処理条件をそれぞれ設定して記録したデータであり、ポリシー管理部９１１にて管理される。
【００６０】
ポリシーサーバ制御部９１０は、文書管理ポリシー９２２に基づいて文書に対する処理の実施可否を判定するための機能ブロックとして、ポリシー管理部９１１、処理実施可否判定部９１２を有する。
【００６１】
処理実施可否判定部９１２は、文書ＩＤ、ページＩＤ、処理種別、文書処理を行うユーザを識別するユーザＩＤを含む処理実施可否の問合せデータを、ポリシーサーバ通信部９３０を介してクライアント端末１００あるいは複合機４００から受信し、受信した問合せデータに含まれている文書ＩＤ、ページＩＤ、ユーザＩＤにて機密文書管理情報９２１を参照してユーザの文書に対するセキュリティレベルをページ単位で特定し、次いで、特定したセキュリティレベルと受信データに含まれている処理種別との組み合わせに対応する設定情報を文書管理ポリシー９２２から読取り、読み取った設定情報としての文書に対する処理の実施可否、実施可能な場合の処理条件を記録した応答データを作成し、作成した応答データをポリシーサーバ通信部９３０を介して処理実施可否の問い合わせ元となる装置（クライアント端末１００あるいは複合機４００）に送信する。
【００６２】
次に、図４のブロック図に示した印刷制御部１１２および複合機４００のコード画像印刷処理部４１１にて符号化情報埋め込み文書８００を印刷するための機能ブロック図を図５に示して説明する。
【００６３】
図５のクライアント端末１００側における印刷制御部１１２の機能ブロックとして、文書データ符号化情報取得部１１２１は、印刷する文書の文書データを受け取り、符号化情報埋め込み文書８００を印刷する場合は、さらに、複製禁止情報、文書ＩＤ、ページＩＤを符号化情報として文書処理部１１１から受け取る。
【００６４】
印刷データ生成部１１２２は、印刷する文書データに基づいて印刷ページ毎の文書画像を用紙に描画するための印刷データを生成するとともに、符号化情報埋め込み文書８００を印刷する場合は、符号化情報に記録された複製禁止コードと、印刷ページに描画する文書のページＩＤを示すデータをページ単位合成コード画像生成部１１２４に出力し、符号化情報のうち、複製禁止コード、文書ＩＤを示すデータを文書共通合成画像生成部１１２３にそれぞれ出力し背景に埋め込むためのコード画像の生成を指示する。
【００６５】
文書共通合成画像生成部１１２３は、印刷データ生成部１１２２から受け取った文書ＩＤ、複製禁止の文書である場合はさらに複製禁止コードを埋め込んだ、所定サイズの文書共通合成コード画像８１０を作成する。
【００６６】
ページ単位合成画像生成部１１２４は、印刷ページ毎に印刷する文書のページＩＤ、複製禁止の文書である場合はさらに複製禁止コードを印刷データ生成部１１２２から受け取り、文書共通合成コード画像８１０よりも描画領域の面積が小さくなるサイズにて印刷ページ毎に個別に作成する。
【００６７】
一方の、複合機４００側の機能ブロックとして、ページ画像生成部４１２は、印刷制御部１１２の印刷データ生成部１１２２から印刷ページ毎の文書画像を生成するための印刷データを受け取り、印刷ページ毎の文書画像を展開して生成し、生成した各印刷ページ単位にてコード画像合成部４１３に出力する。
【００６８】
ページ単位合成コード画像格納部４１５は、各印刷ページに対応するページ単位合成コード画像８２０を、一時的に格納する複合機主記憶部４５０に設けられた画像データの一時保存領域である。
【００６９】
文書共通合成コード画像格納部４１４は、文書共通合成コード画像生成部１１２３にて生成された印刷ページが複数ある場合に、各印刷ページにて共通使用されるコード画像を一時的に格納する複合機主記憶部４５０に設けられた画像データの一時保存領域である。
【００７０】
コード画像合成部４１３は、所定の印刷順にて決定された印刷ページに対応する文書画像をページ画像生成部４１２から受け取り、共通合成コード画像格納部４１４から読み取った文書共通合成画像８２０、ページ単位合成コード画像格納部４１５から読み取った印刷ページに対応するページ単位合成コード画像８２０を、印刷ページの文書画像の背景となる所定領域に重畳して合成するための画像処理を行い、合成した印刷ページのイメージデータを画像形成部４３０に出力して用紙に対する印刷ページ画像の描画命令を行う。
【００７１】
次に、図４に示した印刷制御部１１２、および、複合機４００のコード画像印刷処理部４１１において、複合機４００側にて、文書共通合成コード画像８１０、ページ単位合成コード画像８２０を生成する第２の機能構成例を図６のブロック図に示して説明する。
【００７２】
クライアント端末１００の印刷制御部１１２において、文書データ符号化情報取得部１１２１は、印刷する文書の文書データ、文書ＩＤ、印刷する文書のページＩＤ、複製禁止コードを符号化情報として文書処理部１１１から受け取り、印刷データ生成部１１２２は、文書データおよび印刷出力設定に基づいて印刷ページの文書画像を描画するための印刷データに、文書ＩＤ、ページＩＤ、複製禁止コードを記録した符号化情報を印刷データの所定箇所に追加し、クライアント端末通信部１５０を介してコード画像印刷処理部４１１に出力する。
【００７３】
コード画像印刷処理部４１１において、ページ画像生成部４１２は、クライアント端末１００側の印刷制御部１１２における印刷データ生成部１１２２にて生成された印刷データに基づいて、印刷ページに対応する描画命令に基づいて印刷ページの文書画像を展開して生成する。
【００７４】
文書共通合成画像生成部４１８は、印刷データに付加された符号化情報から印刷する文書の文書ＩＤ、さらに、複製禁止コードを有する場合は、複製禁止コードを取得して文書共通合成コード画像８１０を生成し、生成した文書共通合成コード画像８１０をコード画像合成部４１３に出力する。
【００７５】
ページ単位合成画像生成部４１９は、印刷データに付加された符号化情報から印刷ページに属する文書のページＩＤを読み取り、各印刷ページに対応するページ単位合成コード画像８２０を生成し、生成したページ単位合成コード画像８２０をコード画像合成部４１３に出力する。
【００７６】
コード画像合成部４１３は、ページ画像生成部４１２にて生成された印刷データにおける印刷ページの文書画像と、文書共通合成画像生成部４１８にて生成した文書共通合成コード画像８１０と、印刷ページに対応するページ単位合成コード画像８２０を文書画像の背景における所定領域に描画するための合成画像を作成し、ページ画像生成部４１２から受け取った印刷ページの文書画像と重畳して合成するための画像処理を行う。
【００７７】
なお、文書共通合成コード画像８１０、ページ単位合成コード画像８２０を有した符号化情報埋め込み文書８００を印刷するためのクライアント端末１００、複合機４００それぞれに実装して印刷制御を行うためのプログラムは、ＣＤＲＯＭ等の記憶媒体に格納し、クライアント端末１００、複合機４００による記憶媒体の読み取り、あるいは、記憶媒体の読み取り手段を備える装置とのネットワークを介したデータ通信にて提供するようにしてもよい。
【産業上の利用可能性】
【００７８】
本発明の画像処理装置、画像処理システムおよび画像処理プログラムは、機密文書に対する各種処理の実施条件をセキュリティポリシーに従って取得して制御し、特に、機密文書を印刷した紙文書にコード画像を印刷して符号化情報を付加し、コード画像の復号処理によって解読された符号化情報に基づいて印刷された機密文書の複製処理を制御する場合に有効である。
【００７９】
また、文書の印刷処理、印刷した文書の複製処理によって生成した派生文書を、印刷ページのレベルにて管理する必要があって、印刷ページに描画された文書のページ情報を含む情報をコード画像にて埋め込む場合、印刷装置に送信する場合の送信するデータ量の削減、印刷処理の処理速度の改善策として有効である。
【図面の簡単な説明】
【００８０】
【図１】本発明の画像処理装置を配した画像処理システムの構成の一例を示すブロック図。
【図２】符号化情報埋め込み文書の印刷イメージを示す図。
【図３】符号化情報埋め込み文書の印刷手順の一例を示すフローチャート。
【図４】複合機、クライアント端末、ポリシーサーバの構成の一例を示すブロック図。
【図５】コード画像にて符号化情報を埋め込むための第１の構成例を示すブロック図。
【図６】コード画像にて符号化情報を埋め込むための第２の構成例を示すブロック図。
【図７】符号化情報埋め込み文書におけるページ単位合成コード画像、文書共通合成コード画像の描画領域の変形例を示す図。
【符号の説明】
【００８１】
１０  画像処理システム
１００  クライアント端末
１１０  クライアント端末制御部
１１１  文書処理部
１１２  印刷制御部
１２０  クライアント端末記憶部
１３０  入力操作部
１４０  表示部
１５０  クライアント端末通信部
１１２１  文書データ符号化情報取得部
１１２２  印刷データ生成部
１１２３  文書共通合成画像生成部
１１２４  ページ単位合成コード画像生成部
２００  文書管理装置
２１０  文書ＤＢ
２１１  文書
２１２  機密文書
４００  複合機
４１０  複合機主制御部
４１１  コード画像印刷処理部
４１２  ページ画像生成部
４１３  コード画像合成部
４１４  文書共通合成コード画像格納部
４１５  ページ単位合成コード画像格納部
４１６  コード画像復号処理部
４１７  処理実施可否判定部
４１８  文書共通合成画像生成部
４１９  ページ単位合成画像生成部
４２０  画像読取部
４３０  画像形成部
４４０  画像処理部
４５０  複合機主記憶部
４５１  読取画像データ
４５２  符号化情報
４６０  複合機通信部
４７０  操作表示部
８００  符号化情報埋め込み文書
８１０  文書共通合成コード画像
８１１、８２１  複製禁止コード画像
８１２  文書ＩＤコード画像
８２０  ページ単位合成コード画像
８２２  ページＩＤコード画像
９００  ポリシーサーバ
９１０  ポリシーサーバ制御部
９１１  ポリシー管理部
９１２  処理実施可否判定部
９２０  ポリシーサーバ記憶部
９２１  機密文書管理情報
９２２  文書管理ポリシー
９３０  ポリシーサーバ通信部
７００  認証サーバ
７１０  ユーザ管理情報
７    ネットワーク
【図１】
2008182552.tif 000003
【図２】
2008182552.tif 000004
【図３】
2008182552.tif 000005
【図４】
2008182552.tif 000006
【図５】
2008182552.tif 000007
【図６】
2008182552.tif 000008
【図７】
2008182552.tif 000009